(57)【要約】【課題】  皮膚に対する軽い押圧及び少ない移動回数で無駄毛を有効に除去することができ、皮膚を傷めることがなく、手足はもとより、必要に応じて肩部、背中等の無駄毛を自分単独で除去することができる除毛シートを提供する。【解決手段】  研磨粒子２がコーティングされた帯状基材１の両端方向にスリット４を形成してなり、好ましくは、前記スリット４が短く分割され、また、前記帯状基材１の両側端がウエーブ状にカット５され、さらに好ましくは、前記帯状基材１の両端部に指掛け穴６が形成されてなる。【選択図】        図１
0003109120.tif 000002
【実用新案登録請求の範囲】
【請求項１】
研磨粒子が固着された帯状基材の両端方向にスリットを形成したことを特徴とする除毛シート。
【請求項２】
前記帯状基材の両端方向に形成したスリットが短く分割されてなることを特徴とする請求項１に記載の除毛シート。
【請求項３】
前記帯状基材の両側端がウエーブ状にカットされてなることを特徴とする請求項１又は２に記載の除毛シート。
【請求項４】
前記帯状基材の両端部に指掛け穴が形成されてなることを特徴とする請求項１、２又は３に記載の除毛シート。
【考案の詳細な説明】
【技術分野】
【０００１】
本考案は、除毛効果にすぐれ、手足もとより、必要に応じて肩部、背中等の無駄毛を自分単独で容易に除去することができる除毛シートに関する。
【背景技術】
【０００２】
従来、無駄毛を除去する方法として、無駄毛を除毛具で抜き去る方法あるいは同様に除毛具により無駄毛をそり落とす方法等が採用されている。その他、脱毛剤を使用する方法等が提案されている。また、研磨粒子を基材表面に固着し、該基材表面の研磨粒子面を皮膚に押圧して移動させながら除毛することも行われている（特開２００２−６５３４５号公報参照）。
【０００３】
前記研磨粒子面を皮膚に押圧して移動させながら除毛を行う方法は、皮膚を傷めることのない研磨粒子を選択して使用され、除毛者が押圧力及び移動回数を調節して除毛状態を見ながら無理なく除毛を行うことができる。しかし、皮膚に対して過度の押圧あるいは多数回の移動は好ましくない。
【特許文献１】特開２００２―６５３４５号公報公報
【考案の開示】
【考案が解決しようとする課題】
【０００４】
本考案は、前記研磨粒子面を皮膚に押圧して移動させながら除毛を行う除毛シートに関するもので、皮膚に対する軽い押圧及び少ない移動回数で無駄毛を有効に除去することができ、したがって、皮膚を傷めることがなく、手足はもとより、必要に応じて足部、肩部、背中等の無駄毛を自分単独で容易に除去できる除毛シートを提供することを目的とする。
【課題を解決するための手段】
【０００５】
前記目的を達成する本考案の除毛シートは、研磨粒子が固着された帯状基材の両端方向にスリットを形成したことを特徴とする。
【０００６】
前記本考案によれば、皮膚に軽く押圧して移動させれば、研磨粒子による除毛に加えて前記帯状基材の両端方向に形成したスリットが、除毛しようとしている、あるいは除毛された無駄毛を絡めて保持して除毛効果が高められる。したがって、皮膚に対する押圧力は軽くてよく、また、移動回数も少なくてすむため皮膚を傷めることがない。さらに、帯状基材の長さを、例えば手拭いのように長めに調整することにより、手足はもとより、足部、肩部、背中等の無駄毛を自分単独で容易に除去することができる。
【０００７】
本考案の実施の一形態は、前記帯状基材に形成したスリットを短く分割して形成したことを特徴とする。この実施の一形態によれば、前記短く分割することにより形成された多数のスリットが、除毛しようとしている、あるいは除毛された無駄毛をそれぞれ多数箇所で絡めて保持し、除毛効果がさらに高められる。
【０００８】
本考案の他の実施の一形態は、前記帯状基材の両側端がウエーブ状にカットされてなることを特徴とする。この実施の一形態によれば、前記除毛シートの移動を繰り返しても該除毛シートの両側端によって直線状のすじ跡が皮膚に残ることがなく、該皮膚を傷めることがない。さらに、前記ウエーブ状のカット部分が身体の凹凸に順応して除毛効果を発揮し、無駄毛を残すことがない効果が得られる。
【０００９】
本考案のさらに他の実施の一形態は、前記帯状基材の両端部に指掛け穴を形成したことを特徴とする。この実施の一形態によれば、前記帯状基材を手拭いのように長めに調整し、その両端部に前記指掛け穴を形成することにより、足部、肩部、背中等の除毛を自分単独で容易に行うことができる。すなわち、前記両端部の指掛け穴に両手の指を掛け、前記帯状基材を両手で伸ばしてその研磨粒子面を足、肩、背中等に当てて移動させればよい。
【考案を実施するための最良の形態】
【００１０】
図面は本考案の実施の一形態を示すもので、図１は平面図、図２は図１のII-II線拡大断面図、図３は使用状態を示す斜視図である。
【００１１】
図中、１は、例えば、綿及びポリエステルからなる帯状基材であり、適度の引っ張り強度を有する。本考案では、前記帯状基材１の上面にミクロの研磨粒子２、例えば、アルミナ等がポリエステル及び天然ゴムからなるバインダー３により固着される。前記帯状基材１の幅及び長さは用途に合わせて調整されるが、実施の一形態では、幅が約９ｃｍ、長さが約６０ｃｍとされた。
【００１２】
つぎに、本考案では、前記帯状基材１の両端方向、すなわち、長手方向にスリット４が形成される。前記帯状基材１の実施の一形態では、前記スリット４が幅方向にそれぞれ１ｃｍの間隔をあけ、さらに長さ方向にそれぞれ１ｃｍの間隔をあけて３ｃｍの長さに多数形成された。
【００１３】
さらに、図面実施の一形態では、前記帯状基材１の両側端がウエーブ状にカット５されている。さらにまた、前記帯状基材１の両端部にそれぞれ複数の指掛け穴６が形成されている。
【００１４】
前記構成の本考案は、手足、その他の除毛位置にあわせて適宜折り畳み、あるいは両手で伸ばして使用される。すなわち、前記研磨粒子２面を除毛を必要としている皮膚に軽く押圧して移動を繰り返せばよい。
【００１５】
その結果、前記研磨粒子２による除毛に加えて前記帯状基材１に構成されたスリット４が除毛しようとしている、あるいは除毛された無駄毛を絡めて保持し除毛効果が高められる。同時に皮膚の余分な老廃物も除去される。
【００１６】
なお、足部、肩部、背中等の無駄毛を除去する場合には、図３に示すように、前記指掛け穴６に両手の指を掛け、前記帯状基材１を両手で伸ばしてその研磨粒子面を足、肩、背中に当てて移動させればよく、前記と同様にスリット４による除毛効果が高められる。
【００１７】
さらに、本考案では、前記のごとくして除毛を継続した場合でも、前記帯状基材１両側に直線部分がなく、ウエーブ状にカット５されているため、皮膚に直線状のすじ跡が残ることがない。また、前記ウエーブ状のカット５部分が体の凹凸に順応して除毛効果を発揮し、無駄毛を残すことがない効果が得られる。
【図面の簡単な説明】
【００１８】
【図１】本考案の実施の一形態に係る除毛シートの平面図である。
【図２】図１のII-II線断面図である。
【図３】本考案の実施の一形態に係る除毛シートの使用状態を示す斜視図である。
【符号の説明】
【００１９】
１    帯状基材
２    研磨粒子
４    スリット
５    ウエーブ状のカット
６    指掛け穴
【図１】
0003109120.tif 000003
【図２】
0003109120.tif 000004
【図３】
0003109120.tif 000005